(57)【特許請求の範囲】
【請求項１】
ドメイン間サービスを提供するための方法であって、
ユーザ機器エージェントが、そのエージェントが属するドメインから、別の少なくとも１つのドメインによって提供されるサービスに加入すること、
ユーザ機器エージェントが、加入されたサービスに、そのエージェントが属するドメインからアクセスするための情報を獲得すること、
ユーザ機器エージェントが、そのエージェントが属するドメインを経由することなしに、獲得された情報に基づいて、その別の少なくとも１つのドメイン経由で、加入されたサービスに直接にアクセスすることを備える、方法。
【請求項２】
属するドメインが、モバイルネットワークドメインであり、前記別のドメインが、固定ネットワークドメインであり、及び、ユーザ機器エージェントが、フェムトセルノードまたはワイヤレスアクセスノードであり、及び、サービスが、ネットワークテレビ、電子メールサービス、オンラインショッピングサービス、およびインターネット関連のサービスのうち少なくとも１つであり、及び、ユーザ機器エージェントが属するドメインとその別のドメインの間でサービスレベル合意が確立され、及び、サービスにアクセスするための情報が、検証情報を備える、請求項１に記載の方法。
【請求項３】
検証情報が、ユーザ機器エージェントによって加入されたサービスのＩＤ、ユーザＩＤ、およびサービスにアクセスするためにユーザ機器エージェントによって使用される資格情報のうち少なくとも１つを備える、請求項２に記載の方法。
【請求項４】
ユーザ機器エージェントが、ユーザ機器エージェントの要求に基づいて、少なくとも１つのユーザ機器にユニキャストされる、またはマルチキャストされる、加入されたサービスを提供する、請求項１から３のいずれか一項に記載の方法。
【請求項５】
ユーザ機器エージェントに、そのエージェントが属するドメインによる認証に合格した後、加入されたサービスにアクセスするための情報が自動的にロードされる、請求項４に記載の方法。
【請求項６】
ドメイン間サービスを提供するための装置であって、
装置が属するドメインから、別の少なくとも１つのドメインによって提供されるサービスに加入するためのサービス加入ユニットと、
装置が属するドメインからサービスにアクセスするための情報を獲得するための情報獲得ユニットと、
装置が属するドメインを経由することなしに、獲得された情報に基づいて、前記別の少なくとも１つのドメイン経由で、加入されたサービスに直接にアクセスするためのサービスアクセスユニットとを備える、装置。
【請求項７】
属するドメインが、モバイルネットワークドメインであり、前記別のドメインが、固定ネットワークドメインであり、及び、装置が、フェムトセルノードまたはワイヤレスアクセスノードであり、及び、サービスが、ネットワークテレビ、電子メールサービス、オンラインショッピングサービス、およびインターネット関連のサービスのうち少なくとも１つであり、及び、ユーザ機器エージェントが属するドメインとその別のドメインの間でサービスレベル合意が確立され、及び、サービスにアクセスするための情報が、検証情報を備える、請求項６に記載の装置。
【請求項８】
検証情報が、ユーザ機器エージェントによって加入されたサービスのＩＤ、ユーザＩＤ、およびサービスにアクセスするためにユーザ機器エージェントによって使用される資格情報のうち少なくとも１つを備える、請求項６または７に記載の装置。
【請求項９】
サービスアクセスユニットが、ユーザ機器エージェントの要求に基づいて、少なくとも１つのユーザ機器にユニキャストされる、またはマルチキャストされる、加入されたサービスを提供する、請求項６から８のいずれか一項に記載の装置。
【請求項１０】
情報獲得ユニットに、装置が、装置が属するドメインによる認証に合格した後、加入されたサービスにアクセスするための情報が自動的にロードされる、請求項６から９のいずれか一項に記載の装置。
【請求項１１】
ドメイン間サービスを提供する装置であって、
別の少なくとも１つのドメインによって提供されるサービスに加入するため、およびサービスにアクセスするための情報を獲得するためのサービス加入提供ユニットと、
対応するサービスに加入するネットワークノードが属するドメイン内のユーザ機器エージェントに、対応するサービスにアクセスするのに要求される情報を提供して、ユーザ機器エージェントが、そのエージェントが属するドメインを経由することなしに、その別の少なくとも１つのドメイン経由で、その別の少なくとも１つのドメインによって提供されるサービスに直接にアクセスするようにするための情報提供ユニットとを備える、装置。
【請求項１２】
ユーザ機器エージェントが、そのエージェントが属するドメインによる認証に合格した場合に、情報提供ユニットが、そのエージェントによって加入されたサービスにアクセスするのに要求される情報を、ユーザ機器エージェントに自動的に提供する、請求項１１に記載の装置。
【請求項１３】
請求項６から１０のいずれか一項に記載の装置と、請求項１１または１２に記載の装置とを備える、ドメイン間サービスを提供するシステム。
【請求項１４】
請求項１から５のいずれか一項に記載の方法をコンピュータに実行させるためのプログラムコードを備える、コンピュータプログラム。
【発明の詳細な説明】
【技術分野】
【０００１】
本発明は、ネットワーク通信に関し、より詳細には、ドメイン間サービスを提供するための方法、装置、システム、および対応するコンピュータプログラム製品に関する。
【背景技術】
【０００２】
ネットワーク技術の発展として、ユーザは、様々なネットワークアプリケーションによる便宜を受けている。それでも、異なるネットワークドメインは、異なる事業者によって管理され、このことが、ユーザがドメインをまたいでサービスにアクセスすることを妨げる。１つのネットワークドメインにおけるユーザが、別のネットワークドメインによって提供されるサービスにアクセスすることを所望する場合、サービスアクセスとユーザ検証の両方に関するプロセスが、複雑である。一部の事例では、そのようなドメイン間サービスは、ユーザに利用可能でさえない。
【０００３】
フェムトセルアーキテクチャは、ドメイン間サービスを提供する一種のネットワークアーキテクチャである。フェムトセルネットワークアーキテクチャにおいて、ユーザは、モバイルネットワークを介して固定ネットワークによって提供される、ＩＰＴＶ（インターネットプロトコルテレビ）サービス、電子メールサービス、オンラインショッピングサービス、他のインターネット関連のサービスなどの様々なサービスおよびアプリケーションにアクセスすることが可能である。図１は、１つの例示的なフェムトセルネットワークアーキテクチャを概略で示す。図１に示されるとおり、ＨＢＳＲ（ホーム基地局ルータ）のカバレッジ内のＵＥ（ユーザ機器）が、固定ネットワークバックホールを介してモバイルコアネットワークにアクセスする。具体的には、固定ネットワークにわたるセキュリティで保護されたトンネル（ＨＢＳＲから始まり、アクセスネットワーク／集約ネットワークおよびＢＮＧ（ブロードバンドネットワークゲートウェイ）を経由して、アクセスポイントを介してフェムトゲートウェイに終端するＩＰＳｅｃトンネルなど）が、ＨＢＳＲとフェムトＧＷ（ゲートウェイ）の間に確立され、ＵＥが、このトンネルを介してモバイルコアネットワークにアクセスすることが可能である。ＨＢＳＲのカバレッジ内のＵＥにＩＰＴＶサービスなどの固定ネットワークのサービスを提供することができるように、ＨＢＳＲがまず、固定ネットワークの関係のあるＩＰＴＶシステムに関連するサービスに加入し、次に、前もって、例えば、ＨＢＳＲが工場から出荷される前に、またはＨＢＳＲが購入される際に、ＨＢＳＲにおいて加入されたサービスにアクセスするための要求される情報を構成する。ＵＥが、固定ネットワークにおけるＩＰＴＶサービスにアクセスすることを所望する場合、ＵＥは、ＨＢＳＲ経由でモバイルコアネットワークを介して固定ネットワーク（例えば、ＮＳＰ（ネットワークサービスプロバイダ）ネットワーク）におけるＩＰＴＶシステムにアクセスする。この場合、固定ネットワーク（アクセス／集約ネットワーク、ＩＰネットワークなど）は、フェムトセル基地局（例えば、ＨＢＳＲ）とモバイルコアネットワークの間でトラフィックを送り返す伝送パスとして使用される。図１に示されるとおり、ＩＰＴＶトラフィックがＵＥにアクセスされるようにするのに遠回りのパスが要求され、すなわち、トラフィックは、固定ネットワークからモバイルコアネットワークに供給され、次に、フェムトゲートウェイとＨＢＳＲの間に確立されたトンネルを経由して、トラフィックは、固定ネットワークのバックホール経由でモバイルコアネットワークによってＵＥに供給される。
【０００４】
明らかに、図１に示されるドメイン間サービスを提供するためのソリューションの効率は、低い。第１に、このソリューションは、モバイルコアネットワークおよび固定ネットワークの帯域幅を浪費する。このソリューションが過度の帯域幅を消費する場合に、モバイルコアネットワークは、そのようなドメイン間サービスをユーザに提供することを禁止する必要さえあり得る。第２に、このソリューションは、モバイルコアネットワークに、特に、モバイルコアネットワークの境界におけるフェムトゲートウェイに不必要な作業負荷をもたらし、このことは、フェムトゲートウェイが、ドメイン間サービスをＨＢＳＲに送り返す前に、ドメイン間サービスをカプセル化して、例えば、ＩＰＳｅｃトンネルに入れることを担うためである。さらに、バックホール伝送は、ユニキャストＩＰトンネルを介して実行されるため、複数のＨＢＳＲにＩＰＴＶサービスをマルチキャストすることは、したがって、サポートされ得ない。このことは、現行のソリューションが、モバイルユーザに、或るドメインにわたって大規模なＩＰＴＶサービスを提供する要求を満たすことができないことを意味する。
【０００５】
さらに、異なるネットワークドメインにおけるユーザは、それぞれのドメインの事業者、または管理部、またはサービスプロバイダによって単に管理され、認証されることがよく知られている。つまり、モバイル事業者は、モバイルユーザ、ならびにモバイル音声サービス、ＧＰＲＳサービスなどのモバイルサービスに対するモバイルユーザによるアクセスを単に管理する。しかし、固定事業者は、固定ユーザ、ならびに固定サービス（ＩＰＴＶサービス、電子メールサービス、オンラインショッピングサービスなど）に対する固定ユーザによるアクセスの認証を管理するに過ぎない。図１に示されるネットワークアーキテクチャに関して、フェムトセルが、モバイル事業者によって展開される一方で、ＩＰＴＶサービスは、固定事業者（またはＩＰＴＶサービスプロバイダ）によって提供される。固定事業者によるフェムトセル基地局の認証が、そのフェムトセル基地局が有効なＩＰＴＶユーザであるかどうかを、そのフェムトセル基地局がＩＰＴＶサービスにアクセスする前に、判定するのに要求される。理解され得るとおり、既存のソリューションは、異なる事業者／管理当事者によるそれぞれのユーザ情報を互いに秘密に保つ要求を満たすことができないため、好ましいソリューションではない。
【先行技術文献】
【非特許文献】
【０００６】
【非特許文献１】Ｂｒｏａｄｂａｎｄ  Ｆｏｒｕｍ  ＴＲ−６０９
【発明の概要】
【発明が解決しようとする課題】
【０００７】
本発明は、前述した欠点の１つまたは複数を解決する、または少なくとも軽減することを目的とする。
【課題を解決するための手段】
【０００８】
本発明の一態様によれば：
ユーザ機器エージェントが、そのエージェントが属するドメインから、別の少なくとも１つのドメインによって提供されるサービスに加入すること、
ユーザ機器エージェントが、加入されたサービスに、そのエージェントが属するドメインからアクセスするための情報を獲得すること、
ユーザ機器エージェントが、そのエージェントが属するドメインを経由することなしに、その獲得された情報に基づいて、その別の少なくとも１つのドメイン経由で、その加入されたサービスに直接にアクセスすることを備えるドメイン間サービスを提供するための方法が提供される。
【０００９】
好ましくは、前記属するドメインは、モバイルネットワークドメインであり、前記別のドメインは、固定ネットワークドメインであり、さらにユーザ機器エージェントは、フェムトセルノードである。
【００１０】
オプションとして、前記サービスは、ＩＰＴＶ（インターネットプロトコルテレビ）、電子メールサービス、オンラインショッピングサービス、およびインターネット関連のサービスのうち少なくとも１つである。
【００１１】
オプションとして、ユーザ機器エージェントが属するドメインとその別のドメインの間でサービスレベル合意が確立される。
【００１２】
オプションとして、サービスにアクセスするための前記情報は、検証情報を備える。
【００１３】
オプションとして、前記検証情報は、ユーザ機器エージェントによって加入されたサービスのＩＤ、ユーザＩＤ、およびその加入されたサービスにアクセスするためにユーザ機器エージェントによって使用される資格情報のうち少なくとも１つを備える。
【００１４】
オプションとして、ユーザ機器エージェントは、ユーザ機器エージェントの要求に基づいて、またはニーズに基づいて、少なくとも１つのユーザ機器にユニキャストされる、またはマルチキャストされる、加入されたサービスを提供する。
【００１５】
オプションとして、ユーザ機器は、関連するネットワークリソースを獲得した後、ユーザ機器のエージェント装置からそのサービスを受信する。
【００１６】
オプションとして、ユーザ機器エージェントが属するドメインは、ユーザ機器エージェントが、ユーザ機器エージェントが属するドメインによる認証に合格した後、その加入されたサービスにアクセスするための情報をユーザ機器エージェントに自動的にロードする。
【００１７】
本発明の別の態様によれば：
装置が属するドメインから、別の少なくとも１つのドメインによって提供されるサービスに加入するためのサービス加入ユニットと、
装置が属するドメインからサービスにアクセスするための情報を獲得するための情報獲得ユニットと、
装置が属するドメインを経由することなしに、その獲得された情報に基づいて、その別の少なくとも１つのドメイン経由で、その加入されたサービスに直接にアクセスするためのサービスアクセスユニットとを備えるドメイン間サービスを提供する装置が提供される。
【００１８】
オプションとして、サービスアクセスユニットは、ユーザ機器の要求に基づいて、またはニーズに基づいて、少なくとも１つのユーザ機器にユニキャストされる、またはマルチキャストされる、加入されたサービスを提供する。
【００１９】
オプションとして、情報獲得ユニットには、装置が、装置が属するドメインによる認証に合格した後、その加入されたサービスにアクセスするための情報が自動的にロードされる。
【００２０】
オプションとして、装置は、フェムトセルノードである。
【００２１】
本発明の別の態様によれば：
別の少なくとも１つのドメインによって提供されるサービスに加入するため、およびそのサービスにアクセスするのに要求される情報を獲得するためのサービス加入ユニットと、
対応するサービスに加入するネットワークノードが属するドメイン内のユーザ機器エージェントに、対応するサービスにアクセスするための情報を提供して、ユーザ機器エージェントが、そのエージェントが属するドメインを経由することなしに、その別の少なくとも１つのドメイン経由で、その加入されたサービスに直接にアクセスするようにするための情報提供ユニットとを備えるドメイン間サービスを提供するための装置が提供される。
【００２２】
オプションとして、ユーザ機器エージェントが、ユーザ機器エージェントが属するドメインによる認証に合格した場合に、情報提供ユニットは、その情報をユーザ機器エージェントに自動的に提供する。
【００２３】
本発明の別の態様によれば、前述した装置を備える、ドメイン間サービスを提供するシステムが提供される。
【００２４】
本発明の別の態様によれば、前述した方法、装置、またはシステムを実行するためのプログラムコードを備えるコンピュータプログラム製品が提供される。
【００２５】
本発明の別の態様によれば：
ユーザ機器エージェントが、そのエージェントが属するドメインから、別の少なくとも１つのドメインによって提供されるサービスに加入すること、
ユーザ機器エージェントによって加入されたサービスにアクセスするための情報を、そのエージェントにロードすることを備える、複数のドメインにわたるサービスへのアクセスのためにサービスにアクセスするための情報を提供する方法が提供される。
【００２６】
好ましくは、ユーザ機器エージェントが、そのエージェントが属するドメインによる認証に合格した場合、その加入されたサービスにアクセスするための情報をユーザ機器エージェントに自動的にロードする。
【００２７】
オプションとして、ユーザ機器エージェントには、工場から出荷される前に、または販売前に、加入されたサービスにアクセスするための情報がロードされる。
【００２８】
オプションとして、ロードされた情報を使用して、ユーザ機器エージェントは、別のドメインを相手にサービス検証を直接に実行して、そのエージェントによって加入されたサービスにアクセスするようにすることが可能である。
【００２９】
オプションとして、ユーザ機器エージェントには、そのエージェントが属するドメイン内の、ＨＬＲ／ＡＡＡサーバ、ならびにユーザプロファイル情報を管理するサーバおよび装置などのネットワークノードによって前記情報がロードされる。
【００３０】
オプションとして、ユーザ機器エージェントは、そのエージェントが属するドメインを経由することなしに、その獲得された情報に基づいて、その別の少なくとも１つのドメイン経由で、その別の少なくとも１つのドメインによって提供されるサービスに直接にアクセスすることが可能である。
【００３１】
オプションとして、その情報は、検証情報を備える。
【００３２】
その検証情報は、サービスを提供するその別のドメインによって生成され、さらにユーザ機器エージェントが属するドメインに関連付けられる。
【００３３】
オプションとして、検証情報は、ユーザ機器エージェントが属するドメインと関係するが、ユーザ機器エージェントには関連付けられない。具体的には、検証情報は、ユーザ機器エージェントによる、そのエージェントが属するドメインからのサービスへの加入に基づいて、その別のドメインによって生成され、さらにユーザ機器エージェントが属するドメインに提供される。
【００３４】
本発明の別の態様によれば：
別の少なくとも１つのドメインによって提供されるサービスに加入するため、およびそのサービスにアクセスするための情報を獲得するためのサービス加入提供ユニットと、
ユーザ機器エージェントに、そのエージェントによって加入されたサービスにアクセスするための情報をロードするための情報提供ユニットとを備える複数のドメインにわたるサービスへのアクセスのためのアクセスサービスのための情報を提供する装置が提供される。
【００３５】
オプションとして、ユーザ機器エージェントが、そのエージェントが属するドメインによる認証に合格した場合、情報提供ユニットが、ユーザ機器エージェントに、そのエージェントによって加入されたサービスにアクセスするための情報をロードする。
【００３６】
オプションとして、情報提供ユニットは、加入されたサービスにアクセスするための情報を、工場から出荷される前、または販売前のユーザ要求エージェントにロードする。
【００３７】
オプションとして、加入されたサービスにアクセスするためのロードされた情報を使用して、ユーザ機器エージェントは、その別のドメインを相手に直接にサービス検証を実行して、そのエージェントによって加入されたサービスにアクセスするようにすることが可能である。
【００３８】
オプションとして、サービス加入提供ユニットは、運用サポートシステム内に備えられる。
【００３９】
オプションとして、情報提供ユニットは、以下の装置：ゲートウェイ、モバイルネットワークドメインにおけるフェムトセルゲートウェイ、ユーザ管理デバイス、フェムトセル管理システム／プラットフォームのいずれか１つの内部に備えられる。
【００４０】
オプションとして、サービス加入提供ユニットは、ユーザ機器エージェントの要求に基づいて、または統計データに基づいて、サービスに加入する。
【００４１】
ここで、統計データとは、例えば、サービスに関するアクセス頻度およびアクセス数などのパラメータによって反映される、サービスの人気の程度、またはユーザ機器によって必要とされる程度である。
【００４２】
オプションとして、そのような統計データは、ＨＢＳＲなどの関係のあるネットワーク装置から獲得され得る。
【００４３】
オプションとして、認証は、ゲートウェイによって、好ましくは、モバイルネットワークドメインにおけるフェムトセルゲートウェイによって実行される。
【００４４】
本発明の別の態様によれば：
装置が属するドメインから、別の少なくとも１つのドメインによって提供されるサービスに加入するためのサービス加入提供ユニットと、
装置が属するドメインによる認証に合格した後、装置が、装置によって加入されたサービスにアクセスするための情報を自動的にロードするための情報獲得ユニットとを備える複数のドメインにわたるサービスにアクセスするための装置が提供される。
【００４５】
オプションとして、この装置は、装置が、装置によって加入されたサービスにアクセスするためのロードされた情報によって、その別のドメインを相手にサービス検証を実行して、加入されたサービスにアクセスするようにするためのサービスアクセスユニットをさらに備える。
【００４６】
オプションとして、この装置は、装置が属するドメインを経由することなしに、その獲得された情報に基づいて、その別の少なくとも１つのドメイン経由で、その別の少なくとも１つのドメインによって提供されるサービスに直接にアクセスすることが可能である。
【００４７】
オプションとして、装置は、フェムトセル基地局である。
【００４８】
本発明の別の態様によれば、前述した装置のいずれか１つを備える、複数のドメインにわたるサービスにアクセスするためのシステムが提供される。
【００４９】
本発明の別の態様によれば、前述した方法、装置、ネットワークノード、またはシステムを実行するためのプログラムコードを備えるコンピュータプログラム製品が提供される。
【００５０】
本発明の例示的な実施形態によれば、関連するユーザ機器にドメイン間サービスプロビジョンの配信を効率的に行うソリューションが提供される。詳細には、固定ネットワーク内のＩＰＴＶサービス、インターネットサービスなどが、好ましくは、フェムトセルアーキテクチャの下で、モバイルネットワークのユーザ機器に提供される。このようにして、既存の実施態様におけるネットワーク負担が軽減され、このことが、ユーザによってアクセス可能なサービスを豊かにする一方で、サービスプロビジョンの範囲を拡大する。
【００５１】
本発明の以上、およびその他の特徴および利点は、図面を参照して本発明の原理の説明を読むことによって、よりよく理解されよう。
【図面の簡単な説明】
【００５２】
【図１】フェムトセルネットワークアーキテクチャの概略を示す図である。
【図２】本発明による例示的な実施形態が実施され得るネットワークアーキテクチャを概略で示す図である。
【図３】本発明の例示的な実施形態によるフェムトセル基地局の構造を概略で示す図である。
【図４】本発明の例示的な実施形態によるモバイルネットワークにおけるネットワークユニット（ＯＳＳ（運用サポートシステム））の構造を概略で示す図である。
【図５】本発明の例示的な実施形態による、ユーザエージェント機器がドメイン間サービスにアクセスすることを概略で示す方法フローチャートである。
【図６】本発明の例示的な実施形態による、ユーザ機器が、そのユーザ機器のユーザ機器エージェントによってドメイン間サービスにアクセスすることを概略で示す方法フローチャートである。
【発明を実施するための形態】
【００５３】
（実施形態）
本発明は、ドメイン間サービスを提供するソリューションを提供する。以下の記述において、説明は、ＩＰＴＶサービス、フェムトセルネットワークアーキテクチャを実施例にとって行われる。しかし、本発明は、この実施例に限定されず、任意のドメイン間サービスに適用可能であることが当業者には理解されよう。この場合、ネットワークドメインとは、複数の異なる事業者またはサービスプロバイダによって管理されるネットワーク領域を指す。したがって、本発明は、モバイルネットワークおよび固定ネットワークに加えて、他の任意のネットワークドメインに適用可能であり、ユーザにドメイン間サービスを提供することが明白である。
【００５４】
本発明の１つの例示的な実施形態において、固定事業者（ＩＰＴＶサービスプロバイダ）が、その事業者によってモバイルユーザに提供され得るＩＰＴＶサービス（ＩＰＴＶチャネルＩＤ、サービス要約、または簡単な紹介など）をパッケージ化して、そのパッケージ化されたＩＰＴＶサービスをモバイル事業者に提供する。このようにして、モバイルネットワーク内のＨＢＳＲが、そのモバイル事業者から、関連するＩＰＴＶサービスに加入することが可能であり、さらに加入されたサービスにアクセスするための情報、例えば、サービス認証情報、加入されたＩＰＴＶサービスの簡単な紹介などを獲得することが可能である。図２に示されるとおり、ＨＢＳＲのカバレッジ内のＵＥ（ユーザ機器）が、ＨＢＳＲによって加入された或るＩＰＴＶサービスにアクセスすることを所望する場合、そのＵＥは、ＨＢＳＲに要求を送ることが可能であり、さらにＨＢＳＲをエージェントとして、図１に示されるとおりモバイルコアネットワークをバイパスして、固定ネットワーク経由でＩＰＴＶサービスに直接にアクセスすることが可能である。この場合、ＨＳＢＲは、加入されたサービスにアクセスするための獲得された情報を用いてＮＳＰネットワーク内のＩＰＴＶシステムにアクセスして、対応するサービスをＵＥに転送することが可能である。
【００５５】
図３は、本発明の例示的な実施形態による一種のフェムトセル基地局（ＨＳＢＲ）構造を概略で示す。図３に示されるとおり、ＨＢＳＲは、サービス加入ユニットと、情報獲得ユニットと、サービスアクセスユニットとを備える。ここで、サービス加入ユニットは、別の少なくとも１つのドメイン（例えば、固定ネットワーク）によって提供されるサービスに、ＨＳＢＲが属するネットワークドメイン（例えば、モバイルネットワーク）から加入するために使用され、情報獲得ユニットは、モバイルネットワークからサービスにアクセスするための情報を獲得するために使用され、サービスアクセスユニットは、モバイルネットワークを経由することなしに、獲得された情報に基づいて、固定ネットワーク経由で、その加入されたサービスに直接にアクセスするために使用される。この場合、ＵＥから要求を受信すると、サービスアクセスユニットは、要求されたＩＰＴＶサービスにアクセスすることが可能である。またはオプションとして、サービスアクセスユニットは、例えば、ＵＥが特定のサービスにアクセスする時間、頻度、アクセス持続時間に関する情報や、それらのサービスのうちいずれがユーザにより人気があるかなどの、過去における使用による関連するＩＰＴＶサービスにアクセスする格納された法則からの、ニーズに基づいて、前もっていくつかのＩＰＴＶサービスにアクセスし、それによってその後の特定の期間においてさらに便利にユーザにサービスを提供することも可能である。この場合、サービス加入ユニットは、モバイルネットワークから関連するＩＰＴＶサービスに関する紹介情報を獲得し、さらにその情報をユーザに提供して、ユーザの選好に従ってＩＰＴＶサービスに加入するようにすることが可能である。オプションとして、サービスアクセスユニットは、ＵＥからサービスにアクセスする要求を受信する際、ＵＥが属するドメイン（例えば、モバイルネットワーク）の、そのＵＥのための無線リソースを適用して、要求されたサービスにアクセスするようにすることも可能である。
【００５６】
図４は、本発明の例示的な実施形態によるモバイルコアネットワークにおける装置の構造を概略で示す。図４に示されるとおり、この装置は、サービス加入提供ユニットと、情報提供ユニットとを備える。ここで、サービス加入提供ユニットは、一方で、モバイルネットワークにおけるＨＢＳＲによるＩＰＴＶサービスへの加入を受け付け、他方で、固定ネットワークのＩＰＴＶシステムにおいてそれらのサービスに加入し、さらに加入されたサービスにアクセスするための情報を獲得する。具体的には、固定ネットワークが、モバイルユーザに提供され得るＩＰＴＶサービスをサービス加入提供ユニットに送ることが可能であり、したがって、サービス加入提供ユニットは、加入することを選択することが可能であり、さもなければ、サービス加入提供ユニットは、オンデマンドで対応するＩＰＴＶシステムのサービスに加入することが可能である。サービス加入提供ユニットに関して、サービス加入提供ユニットは、サービス、例えば、加入のために利用可能なサービスを受信した／ブラウズした後、実行される選択を介してＨＢＳＲによって加入された、ＩＰＴＶシステムによって提供されるサービスに対するＨＢＳＲの要求に基づいて、ＩＰＴＶシステムによって提供されるサービスに加入することが可能である。またはオプションとして、サービス加入提供ユニットはまず、サービスに加入することが可能であり、次に、加入されたサービスをＨＢＳＲに提示／表示して、ＨＢＳＲがそれらのサービスに加入することを容易にすることが可能である。サービス加入提供ユニットがまず、サービスに加入する場合、当然、サービス加入提供ユニットは、その後、ユーザの要求に基づいてさらなるＩＰＴＶサービスに加入することも可能である。さらに、情報提供ユニットが、対応するサービスに加入しているＨＢＳＲに、このＨＢＳＲによって加入されたサービスにアクセスするための獲得された情報を提供して、それによってＨＢＳＲが、モバイルネットワークを経由することなしに、固定ネットワーク経由でＩＰＴＶサービスに直接にアクセスすることが可能であるようにするのに使用される。この場合、情報提供ユニットは、ＨＢＳＲによってＩＰＴＶサービスにアクセスが行われる際に、要求される検証情報を提供することが可能であり、さらにＩＰＴＶサービスに関する紹介情報を提供することも可能であり、さらに、必要な場合、ＩＰＴＶサービスにアクセスすることに関するユーザ機器に関する選好情報、記録、または統計情報をさらに提供することも可能である。オプションとして、この装置は、ＯＳＳ（運用サポートシステム）として実施されることも可能であり、この場合、情報提供ユニットは、ＨＬＲ、ＦＭＳ、およびフェムトセルゲートウェイなどのうちの１つまたは複数などの、ネットワークにおける他の装置を介して情報を提供することが可能である。さもなければ、サービス加入提供ユニットが、ＯＳＳ内で実施され得る一方で、情報提供ユニットは、ＨＬＲ、ＦＭＳ、フェムトセルゲートウェイなどの他のネットワークデバイス上で実施され得る。
【００５７】
以上に関連する装置の例示的な構造を与えた。簡明のため、本発明と関係する構造だけが示されている。それでも、特定のアプリケーション要件に依存して、前述の装置上で他の機能が実施されることも可能であり、または他の動作が実行されることが可能であることが当業者には理解されよう。
【００５８】
以降、本発明の例示的な実施形態のソリューションが、動作フローに関連して詳細に説明される。
【００５９】
図５は、本発明の例示的な実施形態による、ユーザエージェント機器が複数の異なるドメインにおけるサービスにアクセスするプロセスを概略で示すフローチャートである。この場合、ＨＢＳＲが、ＵＥのエージェントとしてＩＰＴＶサービスにアクセスする。図５のステップ５０１で、固定ネットワークが、例えば、固定ネットワークにおけるＯＳＳによってモバイルネットワークにおけるＯＳＳに提供される、モバイルネットワークユーザに提供され得るＩＰＴＶサービスに関する情報をモバイルネットワークに提供する。具体的には、この情報は、図３に示されるサービス加入提供ユニットに提供され得る。ステップ５０２で、ＨＢＳＲが、ＩＰＴＶサービスに加入する。ステップ５０３で、サービス加入提供ユニットが、固定管理ドメインにおける相手、すなわち、固定ネットワークのＯＳＳにまず、ＩＰＴＶサービスへの加入について知らせ、例えば、「ＩＰＴＶサービス加入要求」を送る。ステップ５０４で、固定ネットワークドメインにおけるＯＳＳが、加入されたＩＰＴＶサービスのＩＤ、ユーザＩＤなどを備えることが可能であり、さらに、オプションとして、サービス資格情報、ユーザレベル、ＱｏＳなど、および以上の任意の組合せを備えることが可能である、その新たな加入に関する関連するユーザプロファイル（具体的には、このプロファイルは、この例では、ＩＰＴＶプロファイルであり得る）を作成し、次に、このユーザプロファイルをモバイルネットワークドメインにおけるサービス加入提供ユニットに戻す。さらに、ステップ５０５で、ＯＳＳは、作成されたユーザプロファイルを、ＩＰＴＶシステムにアクセスする際の検証プロセスのためにＩＰＴＶシステムにも提供する。続くステップ５０６および５０８で、ＯＳＳにおける情報提供ユニットが、獲得されたユーザプロファイル情報をＨＢＳＲに提供する（前述したサービス加入提供ユニットが、情報提供ユニットとは異なる場所に配置されている、すなわち、この２つのユニットが互いに離隔されている場合、この情報は、このプロセスにおいてサービス加入提供ユニットによって情報提供ユニットに提供されることも可能である）。最初に、ユーザプロファイル情報は、ＨＬＲの中に格納される（ステップ５０６）。次に、モバイルネットワークが、ＨＢＳＲが、モバイルネットワークの検証を実行して、モバイルネットワークに接続した後に、ＨＢＳＲがＩＰＴＶサービスに加入しているかどうかを確認し（ステップ５０７）、ＩＰＴＶサービスに加入が行われている場合、関連するユーザプロファイルが、ＨＬＲ、ＦＭＳ（ＨＢＳＲ構成を担うフェムト管理システム）を介してＨＢＳＲに提供される（ステップ５０８）。例えば、ユーザプロファイル情報はまず、ＦＭＳの中に格納され、次に、ＨＢＳＲに提供され、さもなければ、ユーザプロファイル情報は、ＨＢＳＲに直接に提供される。この場合、オプションとして、ＦＭＳは、自動構成プロセスを再使用して（例えば、Ｂｒｏａｄｂａｎｄ  Ｆｏｒｕｍ  ＴＲ−６０９において規定されるクライアント構内機器ワイドエリアネットワーク管理プロトコルを使用して）、ＨＢＳＲによって加入されたＩＰＴＶサービスを構成する。例えば、ＩＰＴＶサービスにアクセスすること��、ＩＰＴＶ認証情報などを含む、加入されたサービスにアクセスするための情報が、ＨＢＳＲにロードされることを備える。ステップ５０９で、獲得された情報に基づいて、ＨＢＳＲが、ＩＰＴＶサービスにアクセスしようと試み、具体的には、ＩＰＴＶシステムに接続して、関連する検証を実行しようと試みる。ステップ５１０で、検証に合格した後、ＨＢＳＲは、ユーザ機器のエージェントとして、加入されたＩＰＴＶサービスにアクセスする。
【００６０】
前述したステップ５０３で、モバイルネットワークにおけるＯＳＳが、固定ネットワークにおけるＯＳＳからＨＢＳＲの情報を隠し、したがって、モバイルネットワークにおけるユーザ情報が、固定ネットワークから隠され、その結果、モバイルネットワークにおける情報がよりよく保護される。詳細には、ステップ５０６−５０８におけるプロセスは、ＩＰＴＶサービスアクセスによって要求されるユーザプロファイルをユーザ機器エージェントＨＢＳＲに提供するための新たな方法を提示する。つまり、ＨＢＳＲがモバイルネットワークによる検証に合格した後にはいつでも、情報提供ユニットが、ＨＢＳＲサービス加入の状況に従って、ＨＢＳＲにユーザプロファイルを自動的に提供することが可能である。利点は、ＨＢＳＲによって保持されるプロファイル情報が、加入情報の変更に基づいて適時に更新されて、その結果、より便利なサービスがユーザ機器に提供され得ることである。ここで、前述した検証は、フェムトゲートウェイによって、または関連する汎用／専用の検証装置によって実行され得る。さらに、前述した３つのステップは、本発明の発想に従って、ステップの数を減らすことであれ、増やすことであれ、またはステップの順序であれ、変更され得ることが認識されよう。例えば、異なるネットワーク展開では、ステップ５０６は、省略されることが可能であり、さらにステップ５０８で、情報は、ＯＳＳにおける情報提供ユニットによってＨＢＳＲに直接に提供され、またはステップ５０７が、ステップ５０６より前に置かれることが可能であるといった具合である。
【００６１】
前述したステップ５０６−５０８のプロセスは、ドメイン間サービスを提供するために必須ではないことに留意されたい。また、様々な代替も存在する。例えば、加入されたサービスにアクセスするための情報は、ＨＢＳＲの柔軟な加入に基づいて、自動的にロードされず、または代わりに、ＨＢＳＲが、ＨＢＳＲが属するドメインによる認証に合格した後、モバイルネットワークのＯＳＳを介して加入された関連するサービスのユーザプロファイルが、例えば、ＨＢＳＲが工場から出荷される前に、またはＨＢＳＲが販売される際に、ＨＢＳＲに構成として入れられる。この場合、ＨＢＳＲは、ステップ５０６−５０８の前述した動作を実行することなしに、必要とされる場合、構成された情報を用いてＩＰＴＶシステムの検証プロセスを実行することが可能である。
【００６２】
図６は、本発明の例示的な実施形態による、ユーザ機器がユーザ機器のエージェント装置を介してドメイン間サービスにアクセスするプロセスを概略で示すフローチャートである。ステップ６０１で、ユーザ機器が、ＨＢＳＲに接続する（このステップで、ユーザ機器は、ユーザ機器が属するユーザ機器のドメインの認証に合格した後、ユーザ機器が属するネットワークにアクセスすることが可能である）。このステップで、ＵＥは、特定のＩＰＴＶサービスに加入するようＨＢＳＲに自発的に要求することも可能であり、さらにＨＢＳＲをエージェントとして、モバイルネットワークにおけるＯＳＳから、固定ネットワークによって提供されるＩＰＴＶサービスに加入する。ステップ６０２で、ＵＥがＩＰＴＶサービスにアクセスすることを所望する場合、ＨＢＳＲ上にＩＰＴＶサービスにアクセスするためのＲＡＢ（無線アクセスベアラ）が作成されるように、ＨＢＳＲを介してモバイルネットワークに要求が送られることが可能である。６０３で、関連する無線リソースを獲得した後、ＵＥ上のＩＰＴＶクライアントは、ＨＢＳＲ内の仮想セットトップボックスを相手にＥＰＧ獲得プロセスを実行し、さらにステップ６０４で、今度はＩＰＴＶメディアにアクセスする要求をＨＢＳＲに送る。ＨＢＳＲは、ＩＰＴＶメディアにアクセスする要求をＩＰＴＶシステムに送り（ステップ６０５）、さらに、その後、ＩＰＴＶシステムからメディアストリームを受信し（ステップ６０６）、さらにそのメディアストリームをＵＥに転送する（ステップ６０７）。
【００６３】
この場合、ＵＥには、ＩＰＴＶサービスにアクセスするようにＩＰＴＶクライアントが備えられる。好ましくは、ＨＢＳＲには、仮想セットトップボックスが備えられる。しかし、前述した仮想セットトップボックスは、ＨＢＳＲがそれらのサービスを区別することができ、さらにそれらのサービスを対応するユーザ機器に提供する限り、ＨＢＳＲに必須ではない。
【００６４】
図６は、ＨＢＳＲが、ＵＥからの要求に基づいてＩＰＴＶサービスにアクセスし、さらにＩＰＴＶメディアストリームをＵＥに適時に転送するソリューションを示す。しかし、オプションとして、ＨＢＳＲは、ＩＰＴＶサービスに前もってアクセスして、格納し、その後、ＵＥの要求に基づいて、または必要に応じて、ＵＥに通知して、関連する情報をユーザ機器に提供するようにすることも可能である。この場合、ＨＢＳＲによって提供される情報は、ユニキャストまたはマルチキャスト、ブロードキャストなどの形態であり得る。理解され得るとおり、当業者は、図６に示されるステップを柔軟に修正する、削除する、またはマージすることができる。
【００６５】
好ましくは、固定ネットワークによって構成されたＩＰＴＶサービスを、モバイルネットワークのフェムトセルユーザによりよい仕方で提供するように、モバイルネットワークと固定ネットワークの間でＳＬＡ（サービスレベル合意）が確立される。
【００６６】
図５および図６は、フェムトゲートウェイ、ＦＭＳ、ＨＬＲ／ＡＡＡ、ＯＳＳ、ＳＧＳＮ、ＧＧＳＮなどのネットワーク要素を含むモバイルコアネットワークを示すものの、このネットワーク環境は、例示的であることが当業者には理解されよう。ネットワーク環境、特定のアプリケーション要件、ならびにアプリケーションが基礎とする仕様／標準／プロトコルが変わると、対応する構造も異なることが可能である。本発明のソリューションは、既存のネットワーク環境にも、ネットワーク技術が発展するにつれての将来のネットワーク環境にも、本発明の趣旨から逸脱しない限り、適用可能である。
【００６７】
固定ネットワークを出所とするＩＰＴＶサービスが、モバイルコアネットワークを経由することなしに（すなわち、バイパスして）フェムトセル基地局に直接に提供されるソリューションが、以上に与えられた。ここで、ＨＢＳＲは、モバイルネットワークのカバレッジ内のユーザのためのモバイルネットワークにおけるＩＰＴＶシステムと見なされ、固定ネットワークにおけるＩＰＴＶシステムに関するＩＰＴＶサービスにアクセスするセットトップボックスに類似する。一方、ＨＢＳＲは、固定ネットワークにおけるサービスにモバイルネットワークから加入し、さらにそれらのサービスにアクセスするための情報を自動的にロードされるため、モバイルネットワーク内のユーザの情報は、固定ネットワークの態様から十分に隠される。
【００６８】
前段では、ＩＰＴＶを、複数の管理ドメインをまたぐ／複数の管理ドメインにわたるドメイン間サービスの典型的な例として採用したものの、本発明は、電子メールサービス、オンラインショッピングサービス、インターネット関連のサービスなどの様々なドメイン間サービスを提供するようにも適用可能であることが、当業者には直ちに理解されよう。
【００６９】
前述した方法および装置に関して、これらの方法および装置は、ソフトウェア、ハードウェア、またはソフトウェアとハードウェアの組合せによって実施され得ることが、当業者には直ちに理解されよう。さらに、前述した装置は、単一の物理的ノードに配置されることも、別々の物理的ノードに配置されることも可能である。さらに、前述した実施形態は、例示的であり、本発明の限定と解釈されてはならない。保護範囲は、添付の特許請求の範囲によって規定され、さらに本発明の原理を逸脱することなく、本発明の実施形態に行われる任意の実現可能な変更が、規定される範囲に含まれる。
【図１】
0005600357.tif 000002
【図２】
0005600357.tif 000003
【図３】
0005600357.tif 000004
【図４】
0005600357.tif 000005
【図５】
0005600357.tif 000006
【図６】
0005600357.tif 000007